(57)【要約】【課題】調湿性を有する板材が背板に適用され、調湿機能が十分高い収納体を提供すること。【解決手段】天板２、底板３、左右の側板４、５および背板６から形成され、収納部を内側に有する箱状の収納体１において、背板は、調湿性を有する調湿板材１２であり、背板には、表裏方向に屈曲するとともに、収納体の上下方向に延びる、凸部１９などの脈状屈曲部が形成されている。【選択図】図１
2010252872.tif 000002
【特許請求の範囲】
【請求項１】
天板、底板、左右の側板および背板から形成され、収納部を内側に有する箱状の収納体において、背板は、調湿性を有する調湿板材であり、背板には、表裏方向に屈曲するとともに、収納体の上下方向に延びる脈状屈曲部が形成されていることを特徴とする収納体。
【請求項２】
背板の背面周端縁部に枠材が配設され、収納体は、枠材によって形成された補強枠を背側に備え、補強枠の内側部分は、収納体の上下方向において補強枠の外側部分と連通していることを特徴とする請求項１に記載の収納体。
【請求項３】
背板は、収納体の背側に突出する凸部を脈状屈曲部として有し、この凸部は補強枠の内側に配置され、補強枠の上下の枠材には、背板の凸部の上下端面に対向する部位に、収納体の上下方向に延びる通気溝が形成されていることを特徴とする請求項２に記載の収納体。
【請求項４】
背板は、収納体の内側にくぼむ凹部を脈状屈曲部として有し、収納体の天板および底板においてその凹部に対応する部位に、収納体の上下方向に貫通する開口が形成されていることを特徴とする請求項２に記載の収納体。
【発明の詳細な説明】
【技術分野】
【０００１】
本発明は、収納部の調湿機能を有する収納体に関する。
【背景技術】
【０００２】
下記特許文献１に記載した収納体は、調湿性を有する植物繊維ボードを構成部材の一部としたものである。植物繊維ボードは、植物から得られるリグノセルロース繊維同士がバインダーで接着されて形成され、内部に調湿材が保持されている。湿気を含んだ空気は、植物繊維ボードの内外を行き来することができ、植物繊維ボードは、湿度が高いときに空気中の水分を吸収し、乾燥しているときは水分を空気中に放出する。このような吸放湿によって、特許文献１に記載した収納体は、収納部を適度な湿度に保つことができる。
【先行技術文献】
【特許文献】
【０００３】
【特許文献１】特開２００８−２３７５９０号公報
【発明の概要】
【発明が解決しようとする課題】
【０００４】
上記植物繊維ボードを含め、調湿性を有する板材は、空気の流通を必要不可欠とするものであることから、表面に化粧材を貼り、意匠性の向上を図ろうとすると、通気性が阻害されるため、収納体では背板に適用するのが一般的となっている。
【０００５】
しかしながら、背板のみの適用では、収納体の収納部の調湿が必ずしも要求を満たす程度に十分とはならないことがあり、調湿機能の向上に向けて改善が望まれる。
【０００６】
本発明は、以上のとおりの事情に鑑みてなされたものであり、調湿性を有する板材が背板に適用され、調湿機能が十分高い収納体を提供することを課題としている。
【課題を解決するための手段】
【０００７】
本発明は、上記の課題を解決するために、以下の特徴を有している。
【０００８】
第１の発明は、天板、底板、左右の側板および背板から形成され、収納部を内側に有する箱状の収納体において、背板は、調湿性を有する調湿板材であり、背板には、表裏方向に屈曲するとともに、収納体の上下方向に延びる脈状屈曲部が形成されていることを特徴としている。
【０００９】
第２の発明は、上記第１の発明の特徴において、背板の背面周端縁部に枠材が配設され、収納体は、枠材によって形成された補強枠を背側に備え、補強枠の内側部分は、収納体の上下方向において補強枠の外側部分と連通していることを特徴としている。
【００１０】
第３の発明は、上記第２の発明の特徴において、背板は、収納体の背側に突出する凸部を脈状屈曲部として有し、この凸部は補強枠の内側に配置され、補強枠の上下の枠材には、背板の凸部の上下端面に対向する部位に、収納体の上下方向に延びる通気溝が形成されていることを特徴としている。
【００１１】
第４の発明は、上記第２の発明の特徴において、背板は、収納体の内側にくぼむ凹部を脈状屈曲部として有し、収納体の天板および底板においてその凹部に対応する部位に、収納体の上下方向に貫通する開口が形成されていることを特徴としている。
【発明の効果】
【００１２】
上記第１の発明によれば、調湿性を有する調湿板材である背板には、表裏方向に屈曲するとともに、収納体の上下方向に延びる脈状屈曲部が形成されているので、脈状屈曲部によって背板の表面積が拡大され、調湿機能が十分高くなる。また、脈状屈曲部によって背板の剛性も高まる。さらに、脈状屈曲部によって、収納体の背側における空気の流通をスムーズに行わせることができる。
【００１３】
上記第２の発明によれば、上記第１の発明の効果に加え、収納体は、背板の背面周端縁部に配設された枠材から形成された補強枠を備えているので、補強枠によって背板が補強され、脈状屈曲部による背板の剛性の向上と相まって収納体の強度は十分に確保される。また、補強枠の内側部分は、収納体の上下方向において補強枠の外側部分と連通しているので、収納体を部屋の壁際に設置する場合にも背板と部屋の内壁との間に通気路が形成され、通気性を確保することができる。収納体の収納部に空気はこもることがなく、空気は背板を通じて収納部の内外をスムーズに流通する。収納体を壁際に設置することにともなう調湿機能の低下は十分に抑制される。
【００１４】
上記第３の発明によれば、上記第２の発明の効果に加え、背板に脈状屈曲部として形成された凸部が補強枠の内側に配置され、凸部の上下端面に対向する上下の枠材の部位に収納体の上下方向に延びる通気溝が形成されているので、収納体の背側の通気路を確実かつ容易に形成することができる。また、背板の剛性は凸部によって高められているので、補強枠の構成を簡略化することができる。
【００１５】
上記第４の発明によれば、上記第２の発明の効果に加え、背板に脈状屈曲部として形成された凹部に対応する天板および底板の部位に、収納体の上下方向に貫通する開口が形成されているので、上記第３の発明と同様に、収納体の背側の通気路を確実かつ容易に形成することができる。また、背板の剛性は凹部によって高められているので、補強枠の構成を簡略化することができる。
【図面の簡単な説明】
【００１６】
【図１】本発明の収納体の第１実施形態を示した背側から見た斜視図である。
【図２】図１に示した収納体の分解斜視図である。
【図３】図１に示した収納体を、部屋の壁際に設置したときの状態を合わせて示した要部縦断面図である。
【図４】＜ａ＞＜ｂ＞は、それぞれ、図１に示した収納体の背板に適用可能な調湿板材を示した断面図である。
【図５】本発明の収納体の第２実施形態を示した背側から見た斜視図である。
【図６】図５に示した収納体の分解斜視図である。
【図７】図５に示した収納体を、部屋の壁際に設置したときの状態を合わせて示した要部縦断面図である。
【発明を実施するための形態】
【００１７】
＜第１実施形態＞
図１−３に示した収納体１は、上下に対向配置される天板２および底板３、左右に対向配置される側板４、５、ならびに背板６から直方体状の箱体として形成されている。
【００１８】
天板２および底板３は、互いに大きさの等しい長方形状の板材であり、側板４、５も互いに大きさの等しい長方形状の板材である。天板２は、その側端面を側板４、５の上端縁部の対向面に当接させ、ダボ、ビスなどの固着具、接着剤、Ｌアングルなどの固定治具などによって側板４、５に固定されている。また、天板２の天面は、側板４、５の上端面と同一面上に配置され、前側と背側の端面は、それぞれ、側板４、５の前側と背側の端面と同一面上に配置されている。同様に、底板３は、側板４、５の下端縁部に固定され、底板３の底面が側板４、５の下端面と同一面上に配置され、前側と背側の端面が、それぞれ、側板４、５の前側と背側の端面と同一面上に配置されている。
【００１９】
背板６は、外形が長方形状であり、天板２、底板３および側板４、５と比較して厚さの薄い板材である。背板６は、同一面上に配置された天板２および底板３の背側の端面ならびに側板４、５の背側の端面に四周端縁面を重合させ、ビスなどの固着具、接着剤、Ｌアングルなどの固定治具などによって固定されている。背板６の上端面は天板２の天面と、下端面は底板３の底面と同一面上に配置され、左右の端面は側板４、５の側面と同一面上に配置されている。
【００２０】
このような天板２、底板３、左右の側板４、５および背板６から形成された箱状の収納体１は、内側に収納部７を有し、収納部７は前方に開口している。
【００２１】
また、収納体１には、収納部７の前側開口部を開閉する前扉板８が配設されている。前扉板８は、収納体１の正面形状である長方形と同じ大きさの長方形状であり、その右側端面と右側の側板４の側面前端部とをつなぐ蝶番９によって左右方向に回動自在に取り付けられている。蝶番９は３つ取り付けられ、収納体１の上下方向に所定の間隔を隔てて配置されている。また、前扉板８の回動側端部の前面には、前扉板８の操作を容易とする略コ字形の形状を有する取っ手１０が取り付けられている。
【００２２】
さらに、収納体１には、床面Ｆ上に設置する際に前扉板８の下端部が床面Ｆに接触しないように、台輪１１が底板３に取り付けられている。台輪１１の前面は、底板３の前端面より背側に配置され、前方に蹴込みなどを形成可能としているとともに、左右の側面は、左右の側板４、５より内側に配置されている。一方、台輪１１の背面は背板６の背面６ａとほぼ同一面上に配置されている。
【００２３】
収納体１を形成する天板２、底板３、左右の側板４、５および収納部７を開閉する前扉板８には、たとえば、合板、パーティクルボード、ＭＤＦ（Medium Density Fiberboard（中密度繊維板））などを基材とし、化粧用の表面材が貼着された板材が適用可能である。一方、背板６には、調湿性を有する調湿板材１２が適用されている。
【００２４】
調湿板材１２は、その内外を湿気を含んだ空気が行き来することができ、湿度が高いときには、調湿板材１２は空気中の水分を吸収し、乾燥しているときは水分を空気中に放出する。このような調湿板材１２としては、上記特許文献１に記載したような調湿性繊維ボードが例示される。
【００２５】
図４＜ａ＞に示したように、調湿性繊維ボード１３には、たとえば、植物から得られるリグノセルロース繊維１４を基材として用い、リグノセルロース繊維１４同士をバインダー１５によって接着し、リグノセルロース繊維１４が相互に絡み合い、その間に形成された空隙部に調湿材１６を均一に分散させて保持したものが例示される。このような調湿性繊維ボード１３では、透湿性に優れたリグノセルロース繊維１４によって、湿潤時には上記空隙部に侵入する湿気から水分を調湿材１６が吸収し、乾燥時には調湿材１６から放出される水分が空隙部を通って外部に放出される。
【００２６】
リグノセルロース繊維１４には、主成分がセルロースとリグニンからなるものが使用可能である。具体的には、ケナフ、亜麻、ラミー、大麻、ジュートなどの麻類植物の靱皮から採取される繊維、マニラ麻やサイザル麻などの麻類植物の茎または葉の筋から採取される繊維、木材繊維などが例示される。
【００２７】
バインダー１５としては、たとえば、ユリア樹脂、メラミン樹脂、フェノール・エポキシ樹脂、ウレタン系樹脂などの熱硬化性樹脂接着剤や、酢酸ビニル系接着剤、合成ゴム系接着剤、ポリ乳酸やデンプン系樹脂のエマルジョン接着剤などが例示される。このようなバインダー１５をリグノセルロース繊維１４にスプレーする、バインダー１５中にリグノセルロース繊維１４を含浸させるなどしてリグノセルロース繊維１４をバインダー１５によって接着することができる。
【００２８】
調湿材１６には、たとえば、木炭、竹炭などの炭類、タルク、ゼオライト、珪藻土、シリカゲル、モンモリロナイト、セピオライトなどの粘土鉱物、アルミナ、シリカなどの無機物などが例示される。これらの材料は、多孔質であり、孔に水分が出入りすることによって吸放湿性を示す。
【００２９】
また、調湿性繊維ボード１３は、図４＜ｂ＞に示したようなサンドイッチ構造を有するものとして形成することもできる。この場合、たとえば、リグノセルロース繊維１４を基材として用い、リグノセルロース繊維１４同士をバインダー１５によって接着して植物繊維マット１７を作製し、次に、複数枚の植物繊維マット１７の間に調湿材１６からなる調湿層１８を介在させ、プレス成形することによって、サンドイッチ構造を有する調湿性繊維ボード１３を形成することができる。
【００３０】
調湿板材１２の上記のとおりの吸放湿によって、背板６が調湿板材１２である収納体１の収納部７は適度な湿度に保たれる。収納部７における結露およびカビの発生が抑制され、乾燥し過ぎることがない。収納部７に収納する根菜や果物、革製品、ウール製品などが傷まずにすみ、良好な状態で保存、保管することが可能となる。
【００３１】
また、背板６には、図１−３に示したように、収納体１の背側に突出し、収納体１の上下方向に延びる凸部１９が形成されている。凸部１９は、本発明の収納体における脈状屈曲部の一形態であり、断面略Ｕ字状またはＶ字状の形状を有し、上下端は、端面１９ａ、１９ｂによって閉じられている。このような凸部１９の形成は、背板６である調湿板材１２の異型成形などによって容易に実現することができる。
【００３２】
収納体１には、凸部１９は背板６の左右に１つずつ形成され、計２つとされているが、凸部１９の数については特に制限はなく、成形性なども考慮し、要求される調湿機能の実現のために適当な数とすることができる。
【００３３】
そして、収納体１には、背板６の背面６ａの四周端縁部に角材状の枠材２０が配設され、４本の枠材２０によって矩形に形成された補強枠２１が取り付けられている。上下２本の枠材２０および左右２本の枠材２０の端面は４５°に切断され、上下の枠材２０と左右の枠材２０は直交している。背板６に形成された凸部１９は、上端面１９ａを上側の枠材２０の下方に、また、下端面１９ｂを下側の枠材２０の上方に配置して、補強枠２１の内側に配置されている。
【００３４】
補強枠２１では、上側の枠材２０において凸部１９の上端面１９ａと対向する部位が切り欠かれ、収納体１の上下方向に延びる通気溝２２が形成されている。同様に、下側の枠材２０において凸部１９の下端面１９ｂに対向する部位には、収納体１の上下方向に延びる通気溝２３が形成されている。通気溝２２、２３は、凸部１９と同一直線上に配置されている。枠材２０は、一般には木製のものが例示されるが、軽量化、高強度化などを図るために、樹脂製または金属製のものを採用することもできる。
【００３５】
このような補強枠２１に対する背板６の凸部１９の配置および補強枠２１における通気溝２２、２３の形成によって、補強枠２１が矩形に取り囲む内側部分２４は、補強枠２１の外側部分と上下方向に連通している。
【００３６】
以上のとおりの収納体１では、調湿板材１２である背板６に収納体１の上下方向に延びる凸部１９が形成されているので、背板６は、凸部１９によって表面積が拡大されたものとなり、空気との接触面積が拡大されるとともに、流通する空気量も増大し、調湿板材１２としての調湿機能は十分に高いものとなる。また、凸部１９は、いわゆる縦リブのように機能し、凸部１９によって背板６の剛性が高まる。
【００３７】
さらに、収納体１は、補強枠２１を背側に備えているので、補強枠２１によって背板６が補強され、凸部１９による背板６の剛性の向上と相まって収納体１の強度は十分に確保される。背板６の剛性が高められているので、補強枠２１は、矩形の、いわゆる額縁状のものとしても十分に背板６を補強することができ、補強枠２１は、簡略化された構成として実現することができる。
【００３８】
しかも、補強枠２１の内側部分２４は、収納体１の上下方向において補強枠２１の外側部分と連通しているので、図３に示したように、収納体１を部屋Ｒの壁際に設置する際、補強枠２１を内壁Ｗに当接させても、通気溝２２、２３を介して背板６と部屋Ｒの内壁Ｗとの間に通気路が確実にかつ容易に形成される。空気はこの通気路を流通することができるため、通気性が確保される。したがって、収納体１の収納部７内の空気は、収納部７にこもることがなく、背板６を通じて収納部７の外部に流出し、また、通気溝２２、２３を通じて補強枠２１の内側部分２４に侵入した部屋Ｒの空気は、背板６を通じて収納部７に侵入することができる。空気は収納部７の内外を流通することができるため、背板６である調湿板材１２は、本来的に有する高い調湿機能を十分に発揮し、収納部７の湿度を適切に制御することができる。
【００３９】
もちろん、収納体１は、補強枠２１を内壁Ｗに当接させずに設置する場合にも通気性を確保することができる。凸部１９は、収納体１の上下方向に延びているので、収納体１の背側における空気の流通はスムーズに行われる。
【００４０】
また、補強枠２１の通気溝２２、２３も収納体１の上下方向に延びているので、補強枠２１の内側部分２４における空気の滞留を有効に抑えることができ、収納体１の背側における空気の流通は十分かつスムーズに行われる。
【００４１】
なお、本発明の収納体において、補強枠は必ずしも必須なものではなく、凸部１９などの脈状屈曲部によって収納体の強度を十分に確保することができる場合は省略することができる。補強枠の配設は、収納体に要求される強度、収納体の設置状態などを考慮して適宜選択することができる。このことは、下記第２実施形態に関しても同様である。
＜第２実施形態＞
図５−７に示した収納体１は、主として背板６の構造が図１−３に示した収納体１と異なっている。背板６の構造の相違にともなって、図５−７に示した収納体１は、また、図１−３に示した収納体１と、補強枠２１ならびに天板２および底板３の構造において一部異なっている。
【００４２】
なお、図５−７には、図１−３に示した収納体１と共通する部分に同一の符号を付している。また、以下において、同一の符号を付した部分については説明を省略する。
【００４３】
図５−７に示した収納体１では、背板６には、収納体１の内側、すなわち収納部７側にくぼむ凹部２５が、左右に１つずつ、計２つ形成されている。凹部２５もまた、本発明の収納体における脈状屈曲部の一形態であり、断面略Ｕ字状またはＶ字状の形状を有し、収納体１の上下方向に延びている。凹部２５の上下端は開放されている。このような凹部２５の形成は、背板６である調湿板材１２の異型成形などによって容易に実現することができる。
【００４４】
収納体１の天板２および底板３には、凹部２５に対応する部位に、収納体１の上下方向に貫通する開口２６、２７が形成されている。開口２６、２７内に凹部２５の上下端が収められている。開口２６、２７は、図１−３に示した収納体１における通気溝２２、２３に相当するものであり、このため、図５−７に示した収納体１の補強枠２１において上下の枠材２０には、通気溝２２、２３に相当するものは形成されていない。
【００４５】
このような凹部２５および開口２６、２７の形成によって、補強枠２１が矩形に取り囲む内側部分２４は、補強枠２１の外側部分と上下方向に連通している。
【００４６】
図５−７に示した収納体１では、調湿板材１２である背板６に収納体１の上下方向に延びる凹部２５が形成されているので、背板６は、凹部２５によって表面積が拡大されたものとなり、空気との接触面積が拡大されるとともに、流通する空気量も増大し、調湿板材１２としての調湿機能は十分に高いものとなる。また、凹部２５は、収納体１の正面側から見ると、前方に突出している、いわゆる縦リブ状のものであり、図１−３に示した収納体１における凸部１９と同様に機能し、凹部２５によって背板６の剛性が高まる。
【００４７】
さらに、収納体１は、補強枠２１を背側に備えているので、補強枠２１によって背板６が補強され、凹部２５による背板６の剛性の向上と相まって収納体１の強度は十分に確保される。背板６の剛性が高められているので、補強枠２１は、矩形の、いわゆる額縁状のものでも十分に背板６を補強することができ、補強枠２１は、簡略化された構成として実現することができる。
【００４８】
しかも、補強枠２１の内側部分２４は、収納体１の上下方向において補強枠２１の外側部分と連通しているので、図７に示したように、収納体１を部屋Ｒの壁際に設置する際、補強枠２１を内壁Ｗに当接させても、開口２６、２７を介して背板６と部屋Ｒの内壁Ｗとの間に凹部２５に沿った通気路が確実にかつ容易に形成される。空気はこの通気路を流通することができるため、通気性が確保される。したがって、収納体１の収納部７内の空気は、収納部７にこもることがなく、背板６を通じて収納部７の外部に流出し、また、開口２６、２７を通じて補強枠２１の内側部分２４に侵入した部屋Ｒの空気は、背板６を通じて収納部７に侵入することができる。空気は収納部７の内外を流通することができるため、背板６である調湿板材１２は、本来的に有する高い調湿機能を十分に発揮し、収納部７の湿度を適切に制御することができる。
【００４９】
もちろん、収納体１は、補強枠２１を内壁Ｗに当接させずに設置する場合にも通気性を確保することができる。凹部２５は、収納体１の上下方向に延びているので、収納体１の背側における空気の流通はスムーズに行われる。
【００５０】
また、開口２６、２７も収納体１の上下方向に天板２および底板３を貫通しているので、補強枠２１の内側部分２４における空気の滞留を有効に抑えることができ、収納体１の背側における空気の流通は十分かつスムーズに行われる。
【００５１】
なお、背板６である調湿板材１２には、図１−３に示した収納体１と同様に、図４＜ａ＞＜ｂ＞に示した調湿性繊維ボード１３を例示することができる。
【００５２】
また、図５−７に示した収納体１では、底板３に開口２７が形成されることから、台輪１１については、その背側端を開口２７の前端までの位置に配置している。こうすることによって、収納体１の背側に開放された通気路の形成を確実に実現することができる。
【００５３】
そして、本発明の収納体は、上記実施形態１、２に限定されることはなく、大きさ、形状をはじめ、収納部の構造などや用途などについても様々な態様が可能である。また、背板は、上記実施形態１、２に示した凸部１９または凹部２５が形成されたものに限定されることはない。凸部１９または凹部２５は、背板６の表裏方向に、山脈状などの脈状に屈曲する脈状屈曲部の一形態として例示したに過ぎない。背板の表裏方向に屈曲し、収納体の上下方向に延びる脈状屈曲部である限りにおいて、脈状屈曲部は、背板の表面積の拡大を実現し、調湿機能の向上を可能とし、また、背板の剛性の向上をも実現する。さらに、脈状屈曲部は、収納体の背側における空気の流通をスムーズに行わせる。
【符号の説明】
【００５４】
１  収納体
２  天板
３  底板
４、５  側板
６  背板
６ａ  背面
７  収納部
１２  調湿板材
１９  凸部
２５  凹部
２０  枠材
２１  補強枠
２２、２３  通気溝
２４  内側部分
２６、２７  開口
【図１】
2010252872.tif 000003
【図２】
2010252872.tif 000004
【図３】
2010252872.tif 000005
【図４】
2010252872.tif 000006
【図５】
2010252872.tif 000007
【図６】
2010252872.tif 000008
【図７】
2010252872.tif 000009